(57)【要約】【課題】様々な方向に生じる相手側コネクタとの実装位置ずれを吸収して接続信頼性を高めることが可能なコネクタを提供すること。【解決手段】一端側に設けられて相手側コネクタに接触する接触部、他端側に設けられて基板に接触するリード部、及び、前記接触部と前記リード部との間に設けられて弾性変形するばね部を有する複数のコンタクトと、２列に配列された前記複数のコンタクトの前記接触部側に固定され、前記相手側コネクタと嵌合する浮動ハウジングと、前記２列に配列されたコンタクトの列間に設けられ、前記基板に固定される第１固定ハウジングと、前記第１固定ハウジングに固定され、前記複数のコンタクトの前記リード部側を前記第１固定ハウジングとの間で挟持する第２固定ハウジングと、を有するコネクタ。【選択図】図２
2015228341.tif 000002
【特許請求の範囲】
【請求項１】
一端側に設けられて相手側コネクタに接触する接触部、他端側に設けられて基板に接触するリード部、及び、前記接触部と前記リード部との間に設けられて弾性変形するばね部を有する複数のコンタクトと、
２列に配列された前記複数のコンタクトの前記接触部側に固定され、前記相手側コネクタと嵌合する浮動ハウジングと、
前記２列に配列されたコンタクトの列間に設けられ、前記基板に固定される第１固定ハウジングと、
前記第１固定ハウジングに固定され、前記複数のコンタクトの前記リード部側を前記第１固定ハウジングとの間で挟持する第２固定ハウジングと、を有する
ことを特徴とするコネクタ。
【請求項２】
前記複数のコンタクトは、板状金属部材から折り曲げ加工により形成され、
前記ばね部は、前記接触部の延伸方向に直交する方向に突出して湾曲するように打ち抜き加工され、板厚方向が前記接触部の板厚方向に対して直交するように折り曲げ加工された複数の第１ばね部と、前記複数の第１ばね部の間に設けられ、前記複数の第１ばね部を連結する第２ばね部と、を有する
ことを特徴とする請求項１に記載のコネクタ。
【請求項３】
前記複数のコンタクトは、一枚の板状金属部材から形成され、
前記ばね部は、複数の湾曲部が連結する形状に形成されており、前記湾曲部が第１の方向を向くように形成される第１ばね部と、前記第１ばね部に連結し、前記湾曲部が前記第１の方向に対して直交する第２の方向を向くように形成される第２ばね部と、を有する
ことを特徴とする請求項１に記載のコネクタ。
【請求項４】
前記複数のコンタクトは、前記第１ばね部が、前記接触部の板厚方向の一方側に折り曲げ加工された第１コンタクトと、前記第１ばね部が、前記接触部の板厚方向の他方側に折り曲げ加工された第２コンタクトと、を有し、前記第１コンタクト及び前記第２コンタクトが、各列において交互に設けられている
ことを特徴とする請求項２又は３に記載のコネクタ。
【請求項５】
前記第１固定ハウジングは、前記第１コンタクトのそれぞれの第１ばね部を個別に収容する第１収容部を有し、
前記第２固定ハウジングは、前記第２コンタクトのそれぞれの第２ばね部を個別に収容する第２収容部を有する
ことを特徴とする請求項４に記載のコネクタ。
【請求項６】
前記複数のコンタクトは、前記接触部と前記ばね部との間に屈曲部を有し、
前記接触部の板厚方向において、前記第１コンタクトの前記接触部と前記第２ばね部との距離は、前記第２コンタクトの前記接触部と前記第２ばね部との距離よりも小さい
ことを特徴とする請求項４又は５に記載のコネクタ。
【発明の詳細な説明】
【技術分野】
【０００１】
本発明は、コネクタに関する。
【背景技術】
【０００２】
基板同士の接続に用いられる基板間コネクタであって、相手側コネクタとの実装位置ずれを吸収出来るように、基板に固定される固定ハウジングに対して変位可能に設けられた浮動ハウジングを有するフローティングコネクタが知られている（例えば、特許文献１参照）。上記したフローティングコネクタでは、コンタクトが配列されているピッチ方向、ピッチ方向に直交するデュアル方向及びコネクタが挿抜される挿抜方向に浮動ハウジングが変位可能に設けられている。
【先行技術文献】
【特許文献】
【０００３】
【特許文献１】特開２０１１−４８９８２号公報
【発明の概要】
【発明が解決しようとする課題】
【０００４】
しかしながら、相手側コネクタとの実装位置ずれは、上記したピッチ方向、デュアル方向及び挿抜方向に限られるものではなく、様々な方向に発生する場合がある。したがって、上記したフローティングコネクタでは、様々な方向に発生する実装位置ずれに応じて浮動ハウジングが滑らかに変位することができず、相手側コネクタとの嵌合時に破損等して接続信頼性が低下する可能性がある。
【０００５】
本発明は上記に鑑みてなされたものであって、様々な方向に生じる相手側コネクタとの実装位置ずれを吸収して接続信頼性を高めることが可能なコネクタを提供することを目的とする。
【課題を解決するための手段】
【０００６】
本発明の一態様のコネクタによれば、一端側に設けられて相手側コネクタに接触する接触部、他端側に設けられて基板に接触するリード部、及び、前記接触部と前記リード部との間に設けられて弾性変形するばね部を有する複数のコンタクトと、２列に配列された前記複数のコンタクトの前記接触部側に固定され、前記相手側コネクタと嵌合する浮動ハウジングと、前記２列に配列されたコンタクトの列間に設けられ、前記基板に固定される第１固定ハウジングと、前記第１固定ハウジングに固定され、前記複数のコンタクトの前記リード部側を前記第１固定ハウジングとの間で挟持する第２固定ハウジングと、を有する。
【発明の効果】
【０００７】
本発明の実施形態によれば、様々な方向に生じる相手側コネクタとの実装位置ずれを吸収して接続信頼性を高めることが可能なコネクタが提供される。
【図面の簡単な説明】
【０００８】
【図１】実施形態におけるコネクタを例示する斜視図である。
【図２】実施形態におけるコネクタを例示する分解斜視図である。
【図３】実施形態におけるコネクタを例示する図である。
【図４】図３（Ｂ）のＡ−Ａ断面図である。
【図５】実施形態における第１コンタクトを例示する図である。
【図６】実施形態における第１コンタクトを例示する図である。
【図７】実施形態における第２コンタクトを例示する図である。
【図８】実施形態における第２コンタクトを例示する図である。
【図９】実施形態における浮動ハウジングを例示する図である。
【図１０】実施形態における第１固定ハウジングを例示する図である。
【図１１】実施形態における第２固定ハウジングを例示する図である。
【図１２】実施形態における第１コンタクト、第２コンタクト、第１固定ハウジング及び第２固定ハウジングの構成を例示する斜視図である。
【図１３】実施形態における第１コンタクト、第２コンタクト、第１固定ハウジング及び第２固定ハウジングの構成を例示する上面図である。
【発明を実施するための形態】
【０００９】
以下、図面を参照して発明を実施するための形態について説明する。各図面において、同一構成部分には同一符号を付し、重複した説明を省略する場合がある。
【００１０】
＜コネクタの構成＞
まず、本実施形態におけるコネクタ１の全体構成について、図１から図４に示す図面に基づいて説明する。
【００１１】
図１は、本実施形態におけるコネクタ１を例示する斜視図である。図２は、本実施形態におけるコネクタ１の分解斜視図である。図３は、本実施形態におけるコネクタ１を例示する図であり、（Ａ）は上面図、（Ｂ）は正面図、（Ｃ）は底面図、（Ｄ）は側面図である。図４は、図３（Ｂ）のＡ−Ａ断面図である。
【００１２】
コネクタ１は、図１から図４に示すように、第１コンタクト１０、第２コンタクト２０、浮動ハウジング３０、係合金具３１、第１固定ハウジング４０、固定爪４１、第２固定ハウジング５０ａ，５０ｂ（以下、総称して「第２固定ハウジング５０」という場合がある）を有する。
【００１３】
なお、図面において、Ｘ方向はコネクタ１の幅方向、Ｙ方向はコネクタ１の奥行方向である。また、Ｚ方向は、コネクタ１の高さ方向であり、コネクタ１に相手側コネクタが挿抜される挿抜方向である。また、以下の説明では、Ｚ方向において、浮動ハウジング３０側を上、第１固定ハウジング４０及び第２固定ハウジング５０側を下という場合がある。
【００１４】
コネクタ１には、図１から図４に示すように、第１コンタクト１０と第２コンタクト２０とがＸ方向に交互に配列されたコンタクト列が２列設けられている。
【００１５】
第１コンタクト１０及び第２コンタクト２０は、上端側に相手側コネクタの端子に接触する接触部、下端側に基板に接合されるリード部、接触部とリード部との間に弾性変形するばね部が設けられている。第１コンタクト１０及び第２コンタクト２０は、ばね部よりも接触部側で浮動ハウジング３０に固定され、ばね部よりもリード部側で第１固定ハウジング４０及び第２固定ハウジング５０に固定されている。
【００１６】
浮動ハウジング３０は、第１コンタクト１０及び第２コンタクト２０の上端側に固定され、相手側コネクタがＺ方向に挿抜される。浮動ハウジング３０は、Ｚ方向に挿抜される相手側コネクタに嵌合する形状を有し、Ｘ方向における両端部には、図１及び図２に示すように、相手側コネクタに係合する係合金具３１が設けられている。係合金具３１は、板状金属部材から形成された板ばねであり、相手側コネクタの側部に係合する。
【００１７】
第１コンタクト１０及び第２コンタクト２０は、第１固定ハウジング４０及び第２固定ハウジングと共にリード部側が基板に固定され、浮動ハウジング３０は、第１コンタクト１０及び第２コンタクト２０のばね部よりも上端側に固定される。第１コンタクト１０及び第２コンタクト２０のばね部が弾性変形することで、接触部側に固定されている浮動ハウジング３０が基板に対して全方向に変位可能となっている。
【００１８】
第１固定ハウジング４０は、第１コンタクト１０及び第２コンタクト２０がＸ方向に沿って交互に配列されている２列のコンタクト列間に設けられている。第１固定ハウジング４０には、Ｘ方向における両端部に固定爪４１が設けられている。固定爪４１は、板状金属部材から形成されて第１固定ハウジング４０の端部に固定され、下端部の折り返し部分が、例えば基板に設けられている係合孔に係合し、第１固定ハウジング４０を基板に固定する。
【００１９】
第２固定ハウジング５０ａ，５０ｂは、同一形状を有し、図３（Ｃ），（Ｄ）及び図４に示すように、第１コンタクト１０及び第２コンタクト２０のばね部よりリード部側を第１固定ハウジング４０との間で挟持し、第１固定ハウジング４０に固定される。
【００２０】
コネクタ１は、上記した構成を有し、第１固定ハウジング４０及び第２固定ハウジング５０と共に、第１コンタクト１０及び第２コンタクト２０の下端側が基板に固定されている。第１コンタクト１０及び第２コンタクト２０の上端側に固定されている浮動ハウジング３０は、第１コンタクト１０及び第２コンタクト２０のばね部が弾性変形することで、基板に対して全方向に変位可能に構成されている。
【００２１】
＜コンタクト＞
次に、第１コンタクト１０及び第２コンタクト２０の構成について説明する。
【００２２】
（第１コンタクト）
図５は、本実施形態における第１コンタクト１０を例示する斜視図である。また、図６は、本実施形態における第１コンタクト１０を例示する図であり、（Ａ）は上面図、（Ｂ）は正面図、（Ｃ）は側面図である。
【００２３】
第１コンタクト１０は、板状金属部材から打ち抜き加工及び折り曲げ加工により形成され、図５及び図６に示すように、接触部１０１、ばね部１０５、リード部１１５を有する。
【００２４】
図５及び図６において、Ｘｃ方向は第１コンタクト１０の幅方向、Ｙｃ方向は接触部１０１の板厚方向、Ｚｃ方向は接触部１０１の延伸方向であり、各方向はそれぞれ他の方向に対して直交する。また、以下の説明では、Ｚｃ方向において、接触部１０１側を上、リード部１１５側を下として説明する場合がある。
【００２５】
接触部１０１は、第１コンタクト１０の一端側（図５及び図６における上端側）に設けられ、直線状にＺｃ方向に延伸するように形成され、浮動ハウジング３０に設けられているコンタクト孔からコンタクト溝に挿入される。接触部１０１は、Ｘｃ方向において両側に突出する爪部１０１ａ，１０１ｂ，１０１ｃが浮動ハウジング３０のコンタクト溝に圧入されることで、浮動ハウジング３０に固定される。接触部１０１は、一方の面（図６（Ｂ）における左側の面）が浮動ハウジング３０において露出し、浮動ハウジング３０に挿入される相手側コネクタの端子等に接触する。
【００２６】
接触部１０１の下側には、ばね部１０５が設けられている。ばね部１０５は、Ｚｃ方向に離間して設けられている２つの第１ばね部１０５ａ、２つの第１ばね部１０５ａを連結する第２ばね部１０５ｂを有する。
【００２７】
第１ばね部１０５ａは、接触部１０１の延伸方向（図５及び図６におけるＺｃ方向）に直交する方向に突出して湾曲するように打ち抜き加工された部分であり、折り曲げ加工により、リード部１１５の延伸方向とは反対側（−Ｙｃ方向、図６（Ｂ）における右側）に湾曲部が折り曲げられている。また、第１ばね部１０５ａは、板厚方向が、接触部１０１の板厚方向であるＹｃ方向に対して直交するＸｃ方向に略平行になるように折り曲げられている。
【００２８】
第２ばね部１０５ｂは、第１ばね部１０５ａと同様に打ち抜き加工によって形成されているが、第１ばね部１０５ａとは異なり湾曲部は折り曲げ加工されておらず、湾曲部は第１ばね部１０５ａに対して直交する向きを向いている。したがって、図６の例では、第２ばね部１０５ｂの板厚方向は接触部１０１の板厚方向と同じであり、第１ばね部１０５ａの板厚方向に対して直交している。
【００２９】
ばね部１０５は、上記した第１ばね部１０５ａ及び第２ばね部１０５ｂが弾性変形することで、ＸｃＹｃ平面における全方向に屈曲可能、且つ、Ｚｃ方向に伸縮可能であると共に、捩じれるように弾性変形することができる。
【００３０】
なお、ばね部１０５に設けられる第１ばね部１０５ａ及び第２ばね部１０５ｂの数は、本実施形態において例示される構成に限定されるものではない。ばね部１０５は、例えば第１ばね部１０５ａを３つ以上としてもよく、第２ばね部１０５ｂを２つ以上有してもよい。
【００３１】
ばね部１０５の下側には、第１固定部１０９が設けられている。第１固定部１０９は、接触部１０１の延伸方向と略平行な方向（Ｚｃ方向）に直線状に延伸し、第１固定ハウジング４０と第２固定ハウジング５０との間に挟持される。
【００３２】
第１固定部１０９の下側には、第２固定部１１３が設けられている。第２固定部１１３は、Ｙｃ方向に略平行な方向に延伸し、図６（Ａ）に示すように、Ｘｃ方向において両側に突出する爪部１１３ａ，１１３ｂが設けられている。第２固定部１１３は、第２固定ハウジング５０の下面に設けられているコンタクト溝に挿入され、爪部１１３ａ，１１３ｂが圧入されることで、第２固定ハウジング５０に固定される。
【００３３】
第２固定部１１３の下側には、リード部１１５が設けられている。リード部１１５は、Ｙｃ方向に略平行な方向に延伸するように形成され、第２固定ハウジング５０から露出して基板に接合される。
【００３４】
（第２コンタクト）
図７は、本実施形態における第２コンタクト２０を例示する斜視図である。また、図８は、本実施形態における第２コンタクト２０を例示する図であり、（Ａ）は上面図、（Ｂ）は正面図、（Ｃ）は側面図である。
【００３５】
第２コンタクト２０は、第１コンタクト１０と同様に、板状金属部材から打ち抜き加工及び折り曲げ加工により形成され、図７及び図８に示すように、接触部２０１、ばね部２０５、リード部２１５を有する。
【００３６】
なお、第１コンタクト１０と同様、図７及び図８において、Ｘｃ方向は第２コンタクト２０の幅方向、Ｙｃ方向は接触部２０１の板厚方向、Ｚｃ方向は接触部２０１の延伸方向であり、各方向はそれぞれ他の方向に対して直交する。また、以下の説明では、Ｚｃ方向において、接触部２０１側を上、リード部２１５側を下として説明する場合がある。
【００３７】
接触部２０１は、第１コンタクト１０の接触部１０１と同様に、爪部２０１ａ，２０１ｂ，２０１ｃを有し、浮動ハウジング３０に固定されて相手側コネクタの端子と接触する。
【００３８】
ばね部２０５は、Ｚｃ方向に離間して設けられる２つの第１ばね部２０５ａ、２つの第１ばね部２０５ａを連結する第２ばね部２０５ｂを有する。
【００３９】
第１ばね部２０５ａは、接触部２０１の延伸方向（図７及び図８におけるＺｃ方向）に直交する方向に突出して湾曲するように打ち抜き加工された部分であり、折り曲げ加工により、リード部２１５側（Ｙｃ方向、図８（Ｂ）における左側）に湾曲部が折り曲げられている。また、第１ばね部２０５ａは、板厚方向が、接触部２０１の板厚方向であるＹｃ方向に対して直交するＸｃ方向に略平行になるように折り曲げられている。
【００４０】
第１コンタクトと同様、第２ばね部２０５ｂは、第１ばね部２０５ａと同様の形状に打ち抜き加工によって形成されている。ただし、第２ばね部２０５ｂは湾曲部が折り曲げられず、湾曲部の向きは第１ばね部２０５ａの湾曲部の向きに対してほぼ直交する方向となっている。したがって、図７において、第２ばね部２０５ｂの板厚方向は接触部２０１の板厚方向と同じ、つまりＹｃ方向であり、第１ばね部２０５ａの板厚方向に対して直交している。ばね部２０５は、第１ばね部２０５ａ及び第２ばね部２０５ｂが弾性変形することで、ＸｃＹｃ平面における全方向に屈曲可能、且つ、Ｚｃ方向に伸縮可能であると共に、捩じれるように弾性変形することができる。
【００４１】
なお、ばね部２０５に形成される第１ばね部２０５ａ及び第２ばね部２０５ｂの数は、本実施形態において例示される構成に限定されるものではない。ばね部２０５は、例えば第１ばね部２０５ａを３つ以上としてもよく、第２ばね部２０５ｂを２つ以上有してもよく、第１コンタクト１０のばね部１０５とは異なる構成であってもよい。
【００４２】
第２コンタクト２０のばね部２０５の下側には、第１固定部２０９が設けられている。第１固定部２０９は、ばね部２０５の下端から接触部２０１の延伸方向（Ｚｃ方向）と略平行な方向に直線状に延伸し、第１固定ハウジング４０と第２固定ハウジング５０との間に挟持される。
【００４３】
第１固定部２０９の下側には、第１コンタクト１０と同様に、爪部２１３ａ，２１３ｂを有する第２固定部２１３、リード部２１５が設けられている。第２固定部２１３は、第２固定ハウジング５０の下面に設けられているコンタクト溝に固定される。リード部２１５は、第２固定ハウジング５０から露出して基板に接合される。
【００４４】
ここで、図６（Ｂ）に示すように、第１コンタクト１０において、接触部１０１の板厚方向（Ｙｃ方向）における接触部１０１と第２ばね部１０５ｂとの距離をＤ１１とし、接触部１０１と第１固定部１０９との距離をＤ１２とする。また、図８（Ｂ）に示すように、第２コンタクト２０において、接触部２０１の板厚方向（Ｙｃ方向）における接触部２０１と第２ばね部２０５ｂとの距離をＤ２１とする。このとき、（Ｄ１１＜Ｄ１２＝Ｄ２１）を満たすように、第１コンタクト１０の屈曲部１０３，１０７、第２コンタクト２０の屈曲部２０３が設けられている。つまり、接触部１０１，２０１の位置を基準として、第１コンタクト１０のばね部１０５が形成される位置と、第２コンタクト２０のばね部２０５が形成される位置とは、Ｙｃ方向にＤ１２−Ｄ１１の距離だけ離間している。
【００４５】
また、リード部の延びている方向を基準として、第１コンタクト１０の第１ばね部１０５ａと、第２コンタクト２０の第１ばね部２０５ａとは、互いに逆方向に折り曲げることで形成されている。
【００４６】
以上で説明したように、第１コンタクト１０及び第２コンタクト２０は、リード部１１５，２１５が基板に接合され、基板に固定されている第１固定ハウジング４０及び第２固定ハウジング５０にリード部１１５，２１５側が固定されている。また、第１コンタクト１０及び第２コンタクト２０は、接触部１０１，２０１に浮動ハウジング３０が固定され、弾性変形するばね部１０５，２０５を介して浮動ハウジング３０を基板に対して変位可能に支持する。
【００４７】
図１２及び図１３は、第１コンタクト１０、第２コンタクト２０、第１固定ハウジング４０及び第２固定ハウジング５０の構成を例示する斜視図及び上面図である。
【００４８】
図１２及び図１３に示すように、第１コンタクト１０及び第２コンタクト２０は、図５から図８に示した構成を有することにより、ばね部１０５，２０５がコネクタ１のＹ方向において異なる位置に設けられている。また、第１コンタクト１０及び第２コンタクト２０は、第１ばね部１０５ａ，２０５ａがそれぞれ反対側に折り曲げ加工されている。このような構成により、隣接する第１コンタクト１０のばね部１０５と第２コンタクト２０のばね部２０５とが弾性変形しても互いに接触することがなく、第１コンタクト１０と第２コンタクト２０との短絡が防止されている。さらに本実施形態に係るコネクタ１では、上記した構成により第１コンタクト１０と第２コンタクト２０との短絡が防止されるため、コンタクト列における第１コンタクト１０と第２コンタクト２０とのＸ方向の間隔をより狭くして小型化を図ることができる。
【００４９】
＜浮動ハウジング＞
次に、浮動ハウジング３０について説明する。図９は、本実施形態における浮動ハウジング３０を例示する図であり、（Ａ）は上面図、（Ｂ）は正面図、（Ｃ）は底面図、（Ｄ）は側面図である。
【００５０】
浮動ハウジング３０は、上面視でＸ方向に延伸する中央壁部３０１、中央壁部３０１を囲む側壁部３０３、Ｘ方向において両端部に設けられている孔部３０７、第１コンタクト１０及び第２コンタクト２０が挿入されるコンタクト孔３０９を有する。
【００５１】
中央壁部３０１は、浮動ハウジング３０の底面からＺ方向において上方に突出し、Ｙ方向における両面に、第１コンタクト１０及び第２コンタクト２０が挿入される複数のコンタクト溝３０５が設けられている。コンタクト溝３０５は、Ｚ方向に沿って形成され、浮動ハウジング３０の底面に設けられているコンタクト孔３０９に連結されている。
【００５２】
コンタクト孔３０９は、第１コンタクト孔３０９ａと第２コンタクト孔３０９ｂとがＸ方向に交互に設けられている。第１コンタクト孔３０９ａには、第１コンタクト１０が挿入され、第２コンタクト孔３０９ｂには、第２コンタクト２０が挿入される。浮動ハウジング３０の底面には、Ｘ方向に配列されたコンタクト孔３０９の列がＹ方向に離間して２列設けられている。
【００５３】
第１コンタクト孔３０９ａ及び第２コンタクト孔３０９ｂの下部には、図４に示すように、第１コンタクト１０の屈曲部１０３及び第２コンタクト２０の屈曲部２０３が挿入される溝が、屈曲部１０３，２０３のＹ方向における長さに応じて設けられている。
【００５４】
第１コンタクト１０は、接触部１０１が第１コンタクト孔３０９ａを通ってコンタクト溝３０５に挿入され、爪部１０１ａ，１０１ｂ，１０１ｃによりコンタクト溝３０５に固定される。また、第２コンタクト２０は、同様に接触部２０１が第２コンタクト孔３０９ｂを通ってコンタクト溝３０５に挿入され、爪部２０１ａ，２０１ｂ，２０１ｃによりコンタクト溝３０５に固定される。
【００５５】
浮動ハウジング３０には、上記したように、コンタクト孔３０９からコンタクト溝３０５に挿入される第１コンタクト１０の接触部１０１及び第２コンタクト２０の接触部２０１が固定される。また、浮動ハウジング３０は、ばね部１０５，２０５が弾性変形する第１コンタクト１０及び第２コンタクト２０により、基板及び第１・第２固定ハウジング４０，５０に対して変位可能に支持される。
【００５６】
＜固定ハウジング＞
次に、第１固定ハウジング４０及び第２固定ハウジング５０について説明する。
【００５７】
（第１固定ハウジング）
図１０は、本実施形態における第１固定ハウジング４０を例示する図であり、（Ａ）は上面図、（Ｂ）は正面図、（Ｃ）は底面図、（Ｄ）は側面図である。
【００５８】
第１固定ハウジング４０は、上面視でＸ方向に延伸する中央部４０１、Ｘ方向において中央部４０１の両端に設けられている側端部４０３を有する。第１固定ハウジング４０は、コネクタ１に設けられている２つのコンタクト列間に配置され、第２固定ハウジング５０と共に基板に固定される。
【００５９】
中央部４０１は、Ｙ方向における両側面に、Ｚ方向に沿って形成される溝状の第１収容部４０７及び階段状にＺ方向に突出する挟持部４０５を有する。第１収容部４０７は、中央部４０１の上部に設けられ、第１コンタクト１０の第１ばね部１０５ａを収容し、弾性変形する第１ばね部１０５ａと隣接する他の第１ばね部１０５ａ等との接触を防止する。挟持部４０５は、中央部４０１の下部に設けられ、第１コンタクト１０の第１固定部１０９及び第２コンタクト２０の第１固定部２０９を、第２固定ハウジング５０との間で挟持する。
【００６０】
側端部４０３から上方に突出する突出部４０９は、浮動ハウジング３０の孔部３０７に挿入される。浮動ハウジング３０は、第１固定ハウジング４０の突出部４０９が孔部３０７の周囲に接触しない範囲に変位量が制限される。浮動ハウジング３０の変位量が制限されることで、例えば浮動ハウジング３０が大きく変位して過度な負荷がかかることによる第１コンタクト１０及び第２コンタクト２０等の破損等が防止される。
【００６１】
側端部４０３に設けられている貫通孔４１１ａ，４１１ｂは、第１固定ハウジング４０の側面に固定される第２固定ハウジング５０に設けられている固定ピンが挿入される。
【００６２】
（第２固定ハウジング）
図１１は、本実施形態における第２固定ハウジング５０を例示する図であり、（Ａ）は上面図、（Ｂ）は正面図、（Ｃ）は底面図、（Ｄ）は側面図である。
【００６３】
第２固定ハウジング５０は、上面視でＸ方向に延伸する中央部５０１、Ｘ方向において中央部５０１の両端に設けられている側端部５０３を有し、第１固定ハウジング４０の側面に固定される。
【００６４】
中央部５０１には、Ｚ方向に沿って形成される溝状の第２収容部５０５、コンタクト溝５０７を有する。第２収容部５０５は、中央部５０１のＹ方向における一方側の側面上部に設けられ、第２コンタクト２０の第１ばね部２０５ａを収容し、弾性変形する第２ばね部２０５ａと隣接して設けられている他の第２ばね部２０５ａ等との接触を防止する。
【００６５】
コンタクト溝５０７は、中央部５０１のＹ方向における一方側の側面下部から底面にかけて設けられ、第１コンタクト１０及び第２コンタクト２０が挿入される。コンタクト溝５０７は、第１固定ハウジング４０の挟持部４０５との間で、第１コンタクト１０の第１固定部１０９及び第２コンタクト２０の第１固定部２０９を挟持する。また、コンタクト溝５０７の底面側には、第１コンタクト１０の第２固定部１１３及び第２コンタクト２０の第２固定部２１３が圧入される。
【００６６】
側端部５０３の一方には、第２収容部５０５及びコンタクト溝５０７が設けられている側に突出する固定ピン５０９が設けられている。また、側端部５０３の他方には、固定孔５１１が設けられている。
【００６７】
第２固定ハウジング５０は、図２から図４に示すように、第１固定ハウジング４０の両側に１つずつ設けられ、第１固定ハウジング４０との間で、第１コンタクト１０及び第２コンタクト２０を挟み込むと共に、第１固定ハウジング４０に固定される。
【００６８】
図２に示すように、第２固定ハウジング５０ａは、固定ピン５０９ａが第１固定ハウジング４０の貫通孔４１１ｂを貫通して、第２固定ハウジング５０ｂの固定孔５１１ｂに圧入されることで、第２固定ハウジング５０ｂと共に第１固定ハウジング４０に固定される。また、第２固定ハウジング５０ｂは、同様に固定ピン５０９ｂが第１固定ハウジング４０の貫通孔４１１ａを貫通して、第２固定ハウジング５０ａの固定孔５１１ａに圧入されることで、第２固定ハウジング５０ａと共に第１固定ハウジング４０に固定される。
【００６９】
以上で説明したように、第１固定ハウジング４０及び第２固定ハウジング５０は、第１コンタクト１０の第１固定部１０９及び第２コンタクト２０の第１固定部２０９を挟持し、第１コンタクト１０及び第２コンタクト２０と共に基板に固定される。
【００７０】
図１２及び図１３に示すように、第１固定ハウジング４０は、２つのコンタクト列間に配置され、第２固定ハウジング５０ａ，５０ｂが、第１コンタクト１０及び第２コンタクト２０を挟んで第１固定ハウジング４０に固定される。また、第１固定ハウジング４０の第１収容部４０７は、第１コンタクト１０の第１ばね部１０５ａを収容し、第２固定ハウジングの第２収容部５０５は、第２コンタクト２０の第１ばね部２０５ａを収容する。第１収容部４０７及び第２収容部５０５は、弾性変形する第１ばね部１０５ａ，２０５ａを隔壁で囲うように収容することで、隣接する第１ばね部１０５ａ，２０５ａが互いに接触して短絡するのを防止している。さらに、第１コンタクト１０の第１ばね部１０５ａと第２コンタクト２０の第１ばね部２０５ａとを互いに離間する方向に折り曲げて形成し、第１コンタクト１０の第１ばね部１０５ａと第２コンタクト２０の第１ばね部２０５ａとを互いに離間（図５〜図８の例ではＤ１２−Ｄ１１だけ離間）して配置することでも、隣接する第１コンタクト１０の第１ばね部１０５ａと第２コンタクト２０の第１ばね部２０５ａとの接触を防止している。
【００７１】
以上で説明したように、本実施形態に係るコネクタ１によれば、浮動ハウジング３０が基板に対して様々な方向に変位可能であり、様々な方向に生じる相手側コネクタとの実装位置ずれを吸収することで接続信頼性が向上する。また、隣接する第１コンタクト１０及び第２コンタクト２０のばね部１０５，２０５同士の接触が防止され、第１コンタクト１０と第２コンタクト２０との配列間隔をより狭くすることが可能であり、コネクタ１の小型化を図ることが可能になっている。
【００７２】
以上、実施形態に係るコネクタについて説明したが、本発明は上記実施形態に限定されるものではなく、本発明の範囲内で種々の変形及び改良が可能である。
【符号の説明】
【００７３】
１  コネクタ
１０  第１コンタクト
２０  第２コンタクト
３０  浮動ハウジング
４０  第１固定ハウジング
５０  第２固定ハウジング
１０１，２０１  接触部
１０３，２０３  屈曲部
１１５，２１５  リード部
１０５，２０５  ばね部
１０５ａ，２０５ａ  第１ばね部
１０５ｂ，２０５ｂ  第２ばね部
４０７  第１収容部
５０５  第２収容部
【図１】
2015228341.tif 000003
【図３】
2015228341.tif 000004
【図４】
2015228341.tif 000005
【図５】
2015228341.tif 000006
【図６】
2015228341.tif 000007
【図７】
2015228341.tif 000008
【図８】
2015228341.tif 000009
【図９】
2015228341.tif 000010
【図１０】
2015228341.tif 000011
【図１１】
2015228341.tif 000012
【図１２】
2015228341.tif 000013
【図１３】
2015228341.tif 000014
【図２】
2015228341.tif 000015